(57)【特許請求の範囲】
【請求項１】
貫通孔を有する絶縁基板と，この絶縁基板の上面側に配設され内部にドライバー工具を受けることができるように金属板にて椀型に構成した調節用ロータと，前記絶縁基板の下面に密接した金属板による中端子電極板と，この中端子電極板に前記貫通孔内に嵌まるように一体に設けた軸部とを備え，前記軸部の上端に，前記調節用ロータを回転自在に被嵌して成るチップ型可変式電子部品において，
前記調節用ロータに，前記絶縁基板における貫通孔内に回転自在に嵌まる底部を設けて，前記調節用ロータのうち前記底部よりも外周の部分が前記絶縁基板における上面に密接する構成にし，前記底部の直径を前記中端子電極における軸部より大径にして，その下端の内部に，前記中端子電極板における軸部に回転自在に被嵌する底板を，前記中端子電極板の上面より浮かせた状態にして一体に設け，この底板を，前記絶縁基板における前記貫通孔の内部のうち当該貫通孔が前記絶縁基板の上面に開口する部分よりも低い部分に位置する構成にして，前記中端子電極板における軸部の上端を，前記底板の上面側において外向きに広げるようにかしめ付ける一方，前記中端子電極板のうち前記軸部の部分における板厚さを，その下面から薄くして，この薄くした部分の下面に，前記軸部を塞ぐフィルムを貼着し，更に，前記中端子電極板に，前記調節用ロータを所定の回転角度に規制するためのストッパー片を設けて，このストッパー片に，前記絶縁基板の上面に接当する折り曲げ片を設けて，この折り曲げ片と前記中端子電極板とで前記絶縁基板を挟持する構成にしたことを特徴とするチップ型可変式電子部品。
【請求項２】
前記請求項１の記載において，前記調節用ロータの底部における底板と，前記軸部の上端における外向き広げかしめ付け部との両方を，前記絶縁基板における前記貫通孔の内部のうち当該貫通孔が前記絶縁基板の上面に開口する部分よりも低い部分に位置することを特徴とするチップ型可変式電子部品。
【請求項３】
前記請求項１又は２の記載において，前記チップ型可変式電子部品が，前記絶縁基板に前記貫通孔を中心とする円弧状の抵抗膜と，この抵抗膜の両端に対する外端子電極とを設け，更に，前記調節用ロータに，前記抵抗膜に対して摺動自在に接触する摺動子を設けて成る構成であることを特徴とするチップ型可変抵抗器。
【発明の詳細な説明】
【技術分野】
【０００１】
本発明は，例えば，抵抗値又はコンデンサ容量等を調節するためのロータを回転可能に装着して成るチップ型の可変式電子部品及び可変抵抗器に関するものである。
【背景技術】
【０００２】
前記可変式電子部品の代表であるところのチップ型可変式抵抗器は，例えば，特許文献１に記載され，且つ，従来から良く知られているように，チップ型にしてその中心に貫通孔を設けて成る絶縁基板の上面に，抵抗膜を，前記貫通孔を中心とする円弧状に形成し，この絶縁基板に，前記円弧状抵抗膜の両端に対する外端子電極を設け，前記絶縁基板の下面には，前記貫通孔内に嵌まる中空状の軸部を一体に備えて成る金属板製の中端子電極板を配設する一方，前記絶縁基板の上面には，金属板にて椀型に形成され，且つ，前記抵抗膜に接触する摺動子を備えて成る調節用ロータを，当該ロータの底板が前記絶縁基板の上面に密接した状態で前記軸部の上端に被嵌するように配設し，前記軸部の上端を前記底板の上面側において外向きに広げるようにかしめ付けることにより，前記ロータを，絶縁基板に対して回転自在に装着し，このロータの内部に，当該ロータを回転するドライバー工具を受け入れるように構成している。
【０００３】
そして，この構成のチップ型可変式抵抗器において，抵抗値調節用のロータは，その内部に，当該ロータを回転するドライバー工具を受け入れるものであることにより，このロータに対する前記ドライバー工具の係合を確保するためには，このロータの内部への前記ドライバー工具の受け入れ深さを深くしなければならない。
【特許文献１】特開平１１−３５４３０７号公報
【発明の開示】
【発明が解決しようとする課題】
【０００４】
しかし，従来のチップ型可変式抵抗器においては，前記したように，ロータを，当該ロータの底板が前記絶縁基板の上面に密接した状態にして前記軸部の上端に被嵌し，前記軸部の上端を前記底板の上面側において外向きに広げるようにかしめ付けるという構成にしていることにより，前記ロータの内部へのドライバー工具の受け入れ深さを深くすると，これに応じて，前記ロータにおける前記絶縁基板の上面からの高さ寸法が高くなり，ひいては，前記チップ型可変式抵抗器における全体の高さ寸法が高くなるから，前記チップ型可変式抵抗器の大型化を招来するという問題があった。
【０００５】
また，前記全体の高さ寸法を低くするために，前記絶縁基板の厚さを薄くするという構成にするとか，或いは，前記絶縁基板の上面のうち前記ロータにおける底板が接当する部分を凹ませるという構成にした場合には，前記絶縁基板における強度が低下して，その製造中及びプリント回路基板等に対する実装中において欠けたり割れたりすることが多発するという問題がある。
【０００６】
本発明は，これらの問題を解消した可変式電子部品を提供することを技術的課題とするものである。
【課題を解決するための手段】
【０００７】
この技術的課題を達成するため本発明の請求項１は，
「貫通孔を有する絶縁基板と，この絶縁基板の上面側に配設され内部にドライバー工具を受けることができるように金属板にて椀型に構成した調節用ロータと，前記絶縁基板の下面に密接した金属板による中端子電極板と，この中端子電極板に前記貫通孔内に嵌まるように一体に設けた軸部とを備え，前記軸部の上端に，前記調節用ロータを回転自在に被嵌して成るチップ型可変式電子部品において，
前記調節用ロータに，前記絶縁基板における貫通孔内に回転自在に嵌まる底部を設けて，前記調節用ロータのうち前記底部よりも外周の部分が前記絶縁基板における上面に密接する構成にし，前記底部の直径を前記中端子電極における軸部より大径にして，その下端の内部に，前記中端子電極板における軸部に回転自在に被嵌する底板を，前記中端子電極板の上面より浮かせた状態にして一体に設け，この底板を，前記絶縁基板における前記貫通孔の内部のうち当該貫通孔が前記絶縁基板の上面に開口する部分よりも低い部分に位置する構成にして，前記中端子電極板における軸部の上端を，前記底板の上面側において外向きに広げるようにかしめ付ける一方，前記中端子電極板のうち前記軸部の部分における板厚さを，その下面から薄くして，この薄くした部分の下面に，前記軸部を塞ぐフィルムを貼着し，更に，前記中端子電極板に，前記調節用ロータを所定の回転角度に規制するためのストッパー片を設けて，このストッパー片に，前記絶縁基板の上面に接当する折り曲げ片を設けて，この折り曲げ片と前記中端子電極板とで前記絶縁基板を挟持する構成にした。」
ことを特徴としている。
【０００８】
本発明の請求項２は，
「前記請求項１の記載において，前記調節用ロータの底部における底板と，前記軸部の上端における外向き広げかしめ付け部との両方を，前記絶縁基板における前記貫通孔の内部のうち当該貫通孔が前記絶縁基板の上面に開口する部分よりも低い部分に位置する。」
ことを特徴としている。
【０００９】
【００１０】
また，本発明の請求項３は，
「前記請求項１又は２の記載において，前記チップ型可変式電子部品が，前記絶縁基板に前記貫通孔を中心とする円弧状の抵抗膜と，この抵抗膜の両端に対する外端子電極とを備え，更に，前記調節用ロータに，前記抵抗膜に対して摺動自在に接触する摺動子を設けて成る構成である。」
ことを特徴としている。
【発明の効果】
【００１１】
前記請求項１に記載したように，前記調節用ロータに，前記絶縁基板における貫通孔内に回転自在に嵌まる底部を設けて，前記調節用ロータのうち前記底部よりも外周の部分が前記絶縁基板における上面に密接する構成にし，前記底部の直径を前記中端子電極における軸部より大径にして，その下端の内部に，前記中端子電極板における軸部に回転自在に被嵌する底板を，前記中端子電極板の上面より浮かせた状態にして一体に設けて，この底板を，前記絶縁基板における前記貫通孔の内部のうち当該貫通孔が前記絶縁基板の上面に開口する部分よりも低い部分に位置する構成にして，前記中端子電極板における軸部の上端を，前記底体の上面側において外向きに広げるようにかしめ付けるという構成にしたことにより，前記軸部の上端における外向きへの広げかしめ付け部は，前記底板のうち前記軸部に被嵌する部分を従来のように絶縁基板の上面に密接した場合よりも，高さ方向に低い部位に位置することになる。
【００１２】
これにより，前記ロータ内にこれを回転するためのドライバー工具を受け入れるときにおける受け入れ深さを，前記軸部の上端における外向きへの広げかしめ付け部が高さ方向の低い部位に位置する分だけ，前記ロータにおける絶縁基板の上面からの高さ寸法を高くすることなく，深くすることができるから，チップ型可変式電子部品における全体の高さ寸法を，そのロータ内へのドライバー工具の受け入れ深さを深くした状態のもとで，且つ，前記絶縁基板の厚さを薄くしてその強度を低下することがない状態で確実に低くすることができる。
【００１３】
また，請求項２に記載したように，前記調節用ロータにおける底板のうち前記軸部に被嵌する部分と，前記軸部の上端における外向き広げかしめ付け部との両方を，前記絶縁基板における貫通孔の内部のうち当該貫通孔が前記絶縁基板の上面に開口する部分よりも低い部分に位置することにより，前記ロータ内にドライバー工具を受け入れるときにおける受け入れ深さを，前記請求項１の場合よりも更に深くすることができるから，前記の効果を助長できる。
【００１４】
【００１５】
特に，請求項３の記載によると，チップ型可変抵抗器を，前記した効果を有するものに構成することができる利点がある。
【発明を実施するための最良の形態】
【００１６】
以下，本発明の実施の形態を，チップ型可変抵抗器に適用した場合の図面について説明する。
【００１７】
これら各図のうち図１〜図４は，第１の実施の形態によるチップ型可変抵抗器１を示す。
【００１８】
このチップ型可変抵抗器１は，セラミック等の耐熱絶縁材料にてチップ型に構成した絶縁基板２と，この絶縁基板２の上面に配設した調節用ロータ３と，前記絶縁基板２の下面に配設した中端子電極板４とで構成されている。
【００１９】
前記絶縁基板２には，その略中心に上面から下面に貫通する貫通孔５が穿設され，その上面に抵抗膜６が前記貫通孔５を中心として円弧状に延びるように形成され，且つ，この絶縁基板２における一側面２ａには，前記抵抗膜５の両端に対する外端子電極７，８が設けられている。
【００２０】
前記中端子電極板４は，金属板製であり，前記絶縁基板２の下面に密接しており，前記貫通孔５の部分には，当該貫通孔５内に挿入される比較的小径の中空状にした軸部９が一体的に設けられているとともに，前記絶縁基板２の他側面２ｂの部分に上向きに折り曲げて成るストッパー片１０が一体的に設けられている。
【００２１】
一方，前記ロータ３は，金属板にて外周にフランジを有する椀型に形成した第１プレート１１と，この第１プレート１１に対して折り返し連結部１２を介して一体に連結した平面板状の第２プレート１３とから成り，前記第２プレート１３は，これに十字状のドライバー係合孔１４が穿設され，前記折り返し連結部１２から前記第１プレート１０の上面に重なるように折り返し状に折り曲げられている一方，前記第１プレート１０における外周のフランジには，前記折り返し連結部１２と反対側の部分に略半円弧状に延びるにスリット孔１５が穿設されて，このスリット孔１５より外側の部分が，前記抵抗膜５に対して弾性的に接触する摺動子１６に構成されている。
【００２２】
前記ロータ３のうち椀型にした第１プレート１１に，前記貫通孔５内に嵌まる筒型の底部１７を設けて，この底部１７にて前記ロータ３を回転自在に支持する構成にし，前記底部１７における直径を前記中端子電極板４における軸部９の直径よりも大径にして，この底部１７にて前記ロータ３を回転自在に支持する構成にし，前記底部１７における下端の内部に底板１８を，前記中端子電極板４の上面より浮かせた状態にして一体に設け，更に，前記底板１８が，前記絶縁基板２における貫通孔５の内部のうち当該貫通孔５が前記絶縁基板２の上面に開口する部分よりも適宜寸法Ｇだけ低い部分に位置するように構成する。
【００２３】
そして，前記底板１８に穿設した装着孔１９に前記軸部９の上端を挿入して，前記ロータ３のうち前記底部１７を前記絶縁基板２における貫通孔５内に，当該貫通孔５が絶縁基板２の上面に開口する部分を塞ぐように密接して嵌めるとともに，その摺動子１６を前記抵抗膜５に弾性的に接触する状態にし，この状態のもとで，前記軸部９の上端を，前記底板１８の上面側において外向きに広げるようにかしめ付ける（このかしめ付け部を符号２０で示す）ことにより，前記ロータ３を，前記絶縁基板２に対して，前記軸部９を中心軸として自在に回転するように装着するという構成にしている。
【００２４】
なお，前記ロータ３を，その内部に前記ドライバー係合孔１４に係合するように挿入したドライバー工具により左右方向に回転するとき，このロータ３における折り返し連結部１２を，図４に示すように，前記ストッパー片１０に接当することにより，前記ロータ３の回転を所定の回転角度θの範囲内に規制するように構成している。
【００２５】
また，前記ロータ３は，そのうち前記底部１７より外周の部分を，前記絶縁基板２の上面に，直接又はその間に介挿した摩擦板を介して接当することにより，当該ロータ３を回転することに対して所定の回転抵抗が有するように構成されている。
【００２６】
更にまた，前記中端子電極板４のうち前記軸部９の部分における板厚さを，その下面から部分的に薄く構成して，この薄く構成した部分の下面に，前記中空状の軸部９の内部を塞ぐためのフィルム２１を貼着することにより，チップ型可変抵抗器１のプリント回路基板等に対する半田付け実装に際してフラックス等が，前記中空状の軸部９より前記ロータ３の内部に侵入することを阻止するように構成している。
【００２７】
前記した構成によるチップ型可変抵抗器１は，前記したように，前記調節用ロータ３に，前記絶縁基板２における貫通孔５内に回転自在に嵌まる底部１７を設けて，前記調節用ロータ３のうち前記底部１７よりも外周の部分が前記絶縁基板２における上面に密接する構成にし，前記底部１７の直径を前記中端子電極４における軸部９より大径にして，その下端の内部に，前記中端子電極板４における軸部９に回転自在に被嵌する底板１８を，前記中端子電極板４の上面より浮かせた状態にして一体に設けて，この底板１８を，前記絶縁基板２における前記貫通孔５の内部のうち当該貫通孔５が前記絶縁基板２の上面に開口する部分よりも適宜寸法Ｇだけ低い部分に位置する構成にして，前記中端子電極板４における軸部８の上端を，前記底板１８の上面側において外向きに広げるようにかしめ付けるという構成であることにより，前記軸部９の上端における外向きへの広げかしめ付け部２０は，前記底板１８のうち前記軸部９に被嵌する部分を従来のように絶縁基板２の上面に密接した場合よりも高さ方向に低い部位に位置することになる。
【００２８】
これにより，前記ロータ３内にこれを回転するためのドライバー工具を受け入れるときにおける受け入れ深さＷを，前記軸部９の上端における外向きへの広げかしめ付け部２０が高さ方向の低い部位に位置する分だけ，前記ロータ３における絶縁基板２の上面からの高さ寸法Ｈを高くすることなく，深くすることができるから，チップ型可変抵抗器１における全体の高さ寸法Ｈ０を，そのロータ３内へのドライバー工具の受け入れ深さを深くした状態のもとで，且つ，前記絶縁基板２の厚さを薄くしてその強度を低下することがない状態で確実に低くすることができる。
【００２９】
また，前記したように，前記ロータ３における絶縁基板２の上面からの高さ寸法Ｈが低くなることにより，このロータ３における折り返し連結部１２が接当する前記ストッパー片１０における絶縁基板２の上面からの突出高さ寸法を低くできるから，前記ストッパー片１０がこれに折り返し連結部１２の接当にて倒れることに抗する倒れ強度を向上することができる。
【００３０】
【００３１】
【００３２】
【００３３】
【００３４】
【００３５】
【００３６】
【００３７】
そして，図５は，第２の実施の形態によるチップ型可変抵抗器を示す。
【００３８】
この第２の実施の形態は，前記中空状軸部９を通ってのフラックス等の侵入を阻止する手段として，前記した各実施の形態のようにフィルム２１を貼着するか，或いは，中端子電極板にその中空状軸部を塞ぐ折り返し片を設けるという構成することに代えて，前記中端子電極板４に一体に設ける中空状の軸部９′を，その上端を塞いだ形状にしたものであり，この構成によると，前記中空状軸部９を通ってのフラックス等の侵入をより確実に阻止することができる。
【００３９】
これらに加えて，前記した各実施の形態においては，前記ロータ３を所定の回転角度θに規制するために前記中端子電極板４に一体に設けたストッパー片１０に，前記絶縁基板２の上面に接当する折り曲げ片１０′を設けて，この折り曲げ片１０′と，前記中端子電極板４とで前記絶縁基板２を挟持することにより，前記ストッパー片１０における倒れ強度を向上するとともに，中端子電極板４の絶縁基板２に対する固着強度を向上するという構成にしている。
なお，前記ロータ３を所定の回転角度θに規制するために前記中端子電極板４に一体に設けるストッパー片としては，前記した構成に限らず，図６及び図７に示す第３の実施の形態のように，断面を外向きコ字状にしたストッパー片１０″に構成することも可能である。
【図面の簡単な説明】
【００４０】
【図１】本発明の第１の実施の形態によるチップ型可変抵抗器の平面図である。
【図２】図１のII−II視断面図である。
【図３】図２の分解図である。
【図４】ロータを回転したときの平面図である。
【図５】第２の実施の形態によるチップ型可変抵抗器の縦断正面図である。
【図６】第３の実施の形態によるチップ型可変抵抗器の平面図である。
【図７】図６のVII−VII視断面図である。
【符号の説明】
【００４１】
１                チップ型可変抵抗器
２                絶縁基板
３                調節用ロータ
４                中端子電極板
５                貫通孔
６                抵抗膜
７，８            外端子電極
９                中空状の軸部
１０              ストッパー片
１１              第１プレート
１２              折り返し連結部
１３              第２プレート
１４              ドライバー係合孔
１６              摺動子
１７              底部
１８              底板
２０              広げかしめ付け部
【図１】
0004695346.tif 000002
【図２】
0004695346.tif 000003
【図３】
0004695346.tif 000004
【図４】
0004695346.tif 000005
【図５】
0004695346.tif 000006
【図６】
0004695346.tif 000007
【図７】
0004695346.tif 000008